(57)【要約】【課題】障子のコーナー部における防火性能を向上できる建具を提供すること。【解決手段】樹脂製の枠体１０及び枠体１０に開閉可能に取り付けられる障子２０を備える建具１であって、障子２０は、障子２０の外縁を構成する樹脂製の框体３０を有し、障子２０が閉鎖位置にある状態において、障子２０のコーナー部２０１における枠体１０と障子２０との間に配置され、障子２０の見付方向に延びる金属製の遮蔽部材７５，７６，７７，７８を備える。【選択図】図５
2019085829.tif 000002
【特許請求の範囲】
【請求項１】
樹脂製の枠体及び前記枠体に開閉可能に取り付けられる障子を備える建具であって、
前記障子は、前記障子の外縁を構成する樹脂製の框体を有し、
前記障子が閉鎖位置にある状態において、前記障子のコーナー部における前記枠体と前記障子との間に配置され、前記障子の見付方向に延びる金属製の遮蔽部材を備える建具。
【請求項２】
前記枠体の内部に配置される芯材及び前記框体の内部に配置される金属製の芯材は、前記障子の前記コーナー部以外の部分に配置される請求項１に記載の建具。
【請求項３】
前記遮蔽部材は、前記障子に取り付けられており、前記框体に配置される金属製の芯材に固定される請求項１又は２に記載の建具。
【請求項４】
前記遮蔽部材は、前記枠体に取り付けられており、前記枠体に配置される金属製の芯材に固定される請求項１〜３のいずれかに記載の建具。
【発明の詳細な説明】
【技術分野】
【０００１】
本発明は、枠体及び枠体に開閉可能に取り付けられる障子を備える建具に関する。
【背景技術】
【０００２】
従来、枠体及び枠体に開閉可能に取り付けられる障子を備える建具が知られている（例えば、特許文献１参照）。断熱性能を向上させるために、枠体や障子の外縁を構成する框体を樹脂製で構成して、火災発生時に、框体を構成する樹脂製の部材が溶けて変形等した場合に備え、障子の框体の内側に金属製の芯材を設けることが知られている。
【先行技術文献】
【特許文献】
【０００３】
【特許文献１】特開２０１４−２１１０７４号公報
【発明の概要】
【発明が解決しようとする課題】
【０００４】
障子の框体の内部に金属等の芯材を備える建具において、障子の框体の内部に配置される金属製の芯材が、障子のコーナー部に配置されない場合が多い。このような場合に、火災発生時に、障子のコーナー部の樹脂が溶融して、障子のコーナー部において、障子が見込方向に貫通されて、室内側から室外側に火炎や高温空気が貫通してしまう虞があった。そのため、障子のコーナー部における防火性能を向上できる建具が望まれている。
【０００５】
本発明は、障子のコーナー部における防火性能を向上できる建具を提供することを目的とする。
【課題を解決するための手段】
【０００６】
本発明は、枠体（例えば、後述の枠体１０）及び前記枠体に開閉可能に取り付けられる障子（例えば、後述の障子２０）を備える建具（例えば、後述の建具１）であって、前記障子は、前記障子の外縁を構成する樹脂製の框体（例えば、後述の框体３０）を有し、前記障子が閉鎖位置にある状態において、前記障子のコーナー部（例えば、後述の障子側下側コーナー部２０１、障子側戸先下側コーナー部２０１ａ、障子側吊元下側コーナー部２０１ｂ）における前記枠体と前記障子との間に配置され、前記障子の見付方向に延びる金属製の遮蔽部材（例えば、後述の障子側戸先下側コーナー遮蔽金具７５、障子側吊元下側コーナー遮蔽金具７６、枠側戸先下側コーナー遮蔽金具７７、枠側吊元下側コーナー遮蔽金具７８）を備える建具に関する。
【０００７】
また、前記枠体の内部に配置される芯材及び前記框体の内部に配置される金属製の芯材は、前記障子の前記コーナー部以外の部分に配置されることが好ましい。
【０００８】
また、前記遮蔽部材は、前記障子に取り付けられており、前記框体に配置される金属製の芯材（例えば、後述の台座部３１５、Ｌ字状芯材３４１）に固定されることが好ましい。
【０００９】
また、前記遮蔽部材は、前記枠体に取り付けられており、前記枠体に配置される金属製の芯材（例えば、後述の下枠芯材１２０、縦枠芯材１３０，１４０）に固定されることが好ましい。
【発明の効果】
【００１０】
本発明によれば、障子のコーナー部における防火性能を向上できる建具を提供することができる。
【図面の簡単な説明】
【００１１】
【図１】本発明の一実施形態に係る建具を室外側から見た様子を示す図である。
【図２】本実施形態の建具の縦断面図である。
【図３】本実施形態の建具の横断面図である。
【図４】本実施形態の建具が備える障子側戸先下側コーナー遮蔽金具及び障子側吊元下側コーナー遮蔽金具の配置位置を説明する斜視図である。
【図５】本実施形態の建具が備える障子側戸先下側コーナー遮蔽金具を示す斜視図である。
【図６】本実施形態の建具が備える障子側戸先下側コーナー遮蔽金具の位置を示す正面図である。
【図７】本実施形態の建具が備える障子側戸先下側コーナー遮蔽金具の取り付け状態を示す断面図である。
【図８】本実施形態の建具が備える吊元側の障子側吊元下側コーナー遮蔽金具を示す斜視図である。
【図９】本実施形態の建具が備える障子側吊元下側コーナー遮蔽金具が配置される位置関係を示す正面図である。
【図１０】本実施形態の建具が備える障子側吊元下側コーナー遮蔽金具の取り付け状態を示す断面図である。
【図１１】変形例の建具を室外側から見た様子を示す図である。
【図１２】変形例の建具が備える戸先側の枠側戸先下側コーナー遮蔽金具を示す斜視図である。
【図１３】変形例の建具が備える吊元側の枠側吊元下側コーナー遮蔽金具を示す斜視図である。
【図１４】変形例の建具が備える枠側戸先下側コーナー遮蔽金具及び吊元側の枠側吊元下側コーナー遮蔽金具の取り付け状態を示す断面図である。
【図１５】変形例の建具が備える枠側戸先下側コーナー遮蔽金具及び吊元側の枠側吊元下側コーナー遮蔽金具が配置される位置関係を示す正面図である。
【発明を実施するための形態】
【００１２】
以下、本発明の好ましい実施形態について、図面を参照しながら説明する。なお、本明細書において、「見付方向」とは、建物に形成された開口部に納められた建具の枠体に収められる障子の面内方向を意味し、「見込方向」とは、室内外方向（即ち、奥行き方向）を意味する。
【００１３】
図１は、本発明の一実施形態に係る建具１を室外側から見た様子を示す図である。図１に示す建具１は、建物開口部に固定される枠体１０と、枠体１０に複数のヒンジ１５を介して開閉可能に取り付けられる外開きの障子２０と、を備える防火仕様の勝手口ドアである。
【００１４】
まず、枠体１０の構成について説明する。枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。これらの樹脂製の枠（上枠１１、下枠１２、吊元側縦枠１３及び戸先側縦枠１４）は、内部に中空部を有する押出し形材であり、後述する中空部が枠の押し出し方向に沿って連続している。
【００１５】
図２は、本実施形態の建具１の縦断面図である。上枠１１の内部は、複数の空間に区画されている。上枠１１内部の複数の空間のうち、見込方向に並ぶ空間を室外側から室内側の順に中空部１１ａ，１１ｂ，１１ｃとすると、見込方向中央に位置する中空部１１ｂに金属製の上枠芯材１１０が配置される。また、上枠１１の室内側下部には、下方に延びる延出部１１ｅが形成され、延出部１１ｅの室外側の見付面にはクッション材１１ｇを嵌合固定する嵌合部１１ｆが設けられる。
【００１６】
本実施形態の上枠芯材１１０は、断面形状が略Ｕ字状の長尺部材であり、Ｕ字の開口側が室内側を向くように中空部１１ｂに配置される。上枠芯材１１０の下面と中空部１１ｂの内壁の間には帯状の加熱発泡材９０ａが配置される。加熱発泡材９０ａは、火災等によって所定の温度に達すると発泡して隙間を塞ぐものである。
【００１７】
下枠１２の内部も、上枠１１と同様に複数の空間に区画されている。下枠１２内部で見込方向に並ぶ空間を室外側から室内側の順に中空部１２ａ，１２ｂ，１２ｃとすると、見込方向中央に位置する中空部１２ｂに金属製の下枠芯材１２０が配置される。本実施形態の下枠芯材１２０は、角筒状の長尺部材である。また、下枠１２の室内側上部には、上方に延びる延出部１２ｅが形成され、該延出部１２ｅにもクッション材１２ｇを嵌合固定する嵌合部１２ｆが形成される。
【００１８】
図３は、本実施形態の建具１の横断面図である。吊元側縦枠１３も、その内部が複数の空間に区画されている。吊元側縦枠１３内部の複数の空間のうち、見込方向に並ぶ空間を室外側から室内側の順に中空部１３ａ，１３ｂ，１３ｃとすると、見込方向中央に位置する中空部１３ｂに金属製の縦枠芯材１３０が配置される。吊元側縦枠１３の室内側には見付方向戸先側に延びる延出部１３ｅが形成され、該延出部１３ｅにクッション材１３ｇを嵌合固定する嵌合部１３ｆが設けられる。
【００１９】
本実施形態の縦枠芯材１３０は、断面形状が略Ｕ字状の長尺部材であり、Ｕ字の開口側が室内側を向くように中空部１３ｂに配置される。縦枠芯材１３０の戸先側の面と中空部１３ｂの内壁の間には帯状の加熱発泡材９０ｂが配置される。
【００２０】
また、枠体１０の吊元側縦枠１３と障子２０の吊元側縦框３３の間には、上下方向に間隔をあけて複数のヒンジ１５が配置される（図１参照）。中空部１３ａには、ヒンジ１５を固定するネジ１３ｉを締結する裏板部材１３ｈが配置される。本実施形態では、ヒンジ１５を締結するネジ１３ｉは、裏板部材１３ｈを貫通して中空部１３ｂの縦枠芯材１３０まで達しており、ヒンジ１５は縦枠芯材１３０にも締結固定される。
【００２１】
戸先側縦枠１４の内部も、複数の空間に区画されている。複数の空間のうち、見込方向で並ぶ空間を室外側から室内側の順に中空部１４ａ，１４ｂ，１４ｃとすると、見込方向中央に位置する中空部１４ｂに金属製の縦枠芯材１４０が配置される。本実施形態の縦枠芯材１４０は、断面形状が略Ｕ字状の長尺部材であり、Ｕ字の開口側が室内側を向くように中空部１４ｂに配置される。縦枠芯材１４０の吊元側の面と中空部１４ｂの内壁の間には帯状の加熱発泡材９０ｃが配置される。戸先側縦枠１４の室内側にも見付方向吊元側に延びる延出部１４ｅが形成され、該延出部１４ｅにクッション材１４ｇを嵌合固定する嵌合部１４ｆが設けられる。
【００２２】
また、戸先側縦枠１４の吊元側を向く見込面には、後述する障子２０のロックピン５２が嵌合するロックピン受け金具１６が固定される。ロックピン受け金具１６は、上下方向に間隔をあけて複数設けられる。本実施形態のロックピン受け金具１６は、締結部材としてのネジを介して縦枠芯材１４０に締結固定される。
【００２３】
枠体１０の左上及び右上には、枠側コーナー金具４６がそれぞれ配置される。枠側コーナー金具４６は、Ｌ字状の金属製部材であり、枠体１０の外側に配置される。枠側コーナー金具４６は締結部材としてのネジによって枠体１０の内側の芯材に締結固定される。本実施形態では、枠体１０の戸先側上部では上枠芯材１１０と縦枠芯材１４０が枠側コーナー金具４６によって連結され、吊元側上部では上枠芯材１１０と縦枠芯材１３０が連結される。
【００２４】
次に、障子２０の構成について説明する。障子２０は、ガラス２５と、ガラス２５を囲うように構成される框体３０と、を含むように構成される戸体である。
【００２５】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。本実施形態では、室外側ガラス２５ａは網入ガラスで構成され、室内側ガラスはＬｏｗ−Ｅ（Ｌｏｗ  Ｅｍｉｓｓｉｖｉｔｙ）ガラスで構成される。
【００２６】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。これらの樹脂製の框（上框３１、下框３２、吊元側縦框３３及び戸先側縦框３４）は、内部に中空部を有する押出し形材であり、後述する中空部が框の押し出し方向に沿って連続している。
【００２７】
上框３１の内部は、複数の空間に区画されている。上框３１内部の複数の空間のうち、見込方向に並ぶ空間を室外側から室内側の順に中空部３１ａ，３１ｂ，３１ｃとすると、見込方向中央に位置する中空部３１ｂに金属製の上框芯材３１０が配置される。
【００２８】
本実施形態の上框芯材３１０は、断面形状が略Ｕ字状の長尺部材であり、Ｕ字の開口側が室内側を向くように中空部３１ｂに配置される。上框芯材３１０の下面と中空部３１ｂの内壁の間には帯状の加熱発泡材９０ｄが配置される。また、上框芯材３１０のＵ字の内側における室内側を向く面にも帯状の加熱発泡材９０ｅが配置される。
【００２９】
上框３１の室外側上部には、上枠１１の一部に見込方向で対面する延出部３１ｆが形成される。この延出部３１ｆの上枠１１に対面する側には、クッション材３１ｇを嵌合固定する嵌合部３１ｈが設けられる。延出部３１ｆの内側に形成される中空部３１ｉには金属（例えば、スチール）製の室外側芯材３１２が配置される。
【００３０】
本実施形態の室外側芯材３１２は、断面形状が略Ｕ字状の長尺部材であり、Ｕ字の開口側が室外側を向くように中空部３１ｉに配置される。また、室外側芯材３１２の室内側の面と中空部３１ｉの内壁の間には帯状の加熱発泡材９０ｆが配置される。
【００３１】
また、上框３１の外側面には、上框３１の長手方向に沿って延びる嵌合溝３１ｊが形成される。嵌合溝３１ｊには、金属（例えば、アルミニウム材）製の台座部３１５が嵌合固定される。上框３１の嵌合溝３１ｊの室内側に位置する中空部３１ｋには室内側芯材３１３が配置される。上框３１の室外側下部には押し縁部材３６を嵌合する嵌合部３１ｍが設けられ、上框３１の室内側下部にはガラス止め部材３７を嵌合する嵌合部３１ｎが設けられる。
【００３２】
下框３２、吊元側縦框３３及び戸先側縦框３４の基本的構成は上框３１と同様である。以下の説明において上框３１と同様の構成については共通の規則性（アルファベット）で符号を付してその説明を省略する場合がある。
【００３３】
下框３２は、見込方向に並ぶ複数の中空部３２ａ，３２ｂ，３２ｃのうち、見込方向中央に位置する中空部３２ｂに下框芯材３２０が配置される。下框芯材３２０は金属によって筒状に成形される。下框３２の室外側下部には延出部３２ｆが形成され、該延出部３２ｆの室内側にはクッション材３２ｇを嵌合固定する嵌合部３２ｈが設けられる。延出部３２ｆの上方には樹脂製の押し縁部材３６用の嵌合部３２ｍが設けられる。下框３２の室内側上部にはガラス止め部材３７用の嵌合部３２ｎが設けられる。
【００３４】
下框３２の下面に形成される嵌合溝３２ｊには、樹脂製の下がり止め部材３８が配置される。樹脂製の下がり止め部材３８は、通常使用時の障子２０の下がりを防止するためのものであり、その下部が室内側から室外側に向かうにつれて下側に近づくように傾斜した形状で成形される。また、火災発生時の障子２０の下がりを防止するため、下框３２には樹脂製の下がり止め部材３８とは別部材として金属製の下がり止め部材３９が設けられる。
【００３５】
吊元側縦框３３は、見込方向に並ぶ複数の中空部３３ａ，３３ｂ，３３ｃのうち、見込方向中央に位置する中空部３３ｂに縦框芯材３３０が配置される。本実施形態の縦框芯材３３０は、断面形状が略Ｕ字状の長尺部材であり、Ｕ字の開口側が室内側を向くように中空部３３ｂに配置される。縦框芯材３３０の吊元側縦枠１３側の面と中空部３３ｂの内壁の間には帯状の加熱発泡材９０ｇが配置される。また、縦框芯材３３０のＵ字の内側における室内側を向く面にも帯状の加熱発泡材９０ｈが配置される。
【００３６】
吊元側縦框３３には吊元側縦枠１３側に延出する延出部３３ｆが形成される。延出部３３ｆの室内側にはクッション材３３ｇを嵌合固定する嵌合部３３ｈが設けられる。また、延出部３３ｆの内側には中空部３３ｉが形成される。吊元側縦框３３の吊元側の面に形成される嵌合溝３３ｊには、台座部３１５が嵌合固定される。また、吊元側縦框３３における台座部３１５の室内側に位置する中空部３３ｋには金属（例えば、スチール）製の室内側芯材３１３が配置される。吊元側縦框３３の室外側の戸先側には押し縁部材３６用の嵌合部３３ｍが設けられ、室内側の戸先側にはガラス止め部材３７用の嵌合部３３ｎが設けられる。
【００３７】
戸先側縦框３４は、見込方向に並ぶ複数の中空部３４ａ，３４ｂ，３４ｃのうち、見込方向中央に位置する中空部３４ｂに縦框芯材３４０が配置される。本実施形態の縦框芯材３４０は、断面形状が略Ｕ字状の長尺部材であり、Ｕ字の開口側が戸先側縦枠１４の見込面を向くように中空部３４ｂに配置される。縦框芯材３４０のＵ字の内側における戸先側縦枠１４側を向く面には帯状の加熱発泡材９０ｉが配置される。
【００３８】
戸先側縦框３４には戸先側縦枠１４側に延出する延出部３４ｆが形成される。延出部３４ｆの室内側にはクッション材３４ｇを嵌合固定する嵌合部３４ｈが設けられる。延出部３４ｆの内側に形成される中空部３４ｉには室外側芯材３１２が配置される。また、室外側芯材３１２の室内側の面と中空部３４ｉの内壁の間には帯状の加熱発泡材９０ｊが配置される。戸先側縦框３４の室外側の吊元側には押し縁部材３６用の嵌合部３４ｍが設けられ、室外側の吊元側にはガラス止め部材３７用の嵌合部３４ｎが設けられる。
【００３９】
戸先側縦框３４の戸先側面に形成される嵌合溝３４ｊにはスライドプレート５１が嵌合される。スライドプレート５１は、室外側ハンドル５５及び室内側ハンドル５６の操作に連動して戸先側縦框３４の長手方向（上下方向）に移動可能に構成される。スライドプレート５１の戸先側の見込面にはロックピン５２が形成されており、ロックピン５２が戸先側縦枠１４に固定されるロックピン受け金具１６に係合することで、障子２０が閉鎖位置で固定される。
【００４０】
框体３０の内側（ガラス２５側）の見込面にはガラス外れ止め部材４０及び加熱発泡材９１が配置される。ガラス外れ止め部材４０は、框体３０を構成する上框３１、下框３２、吊元側縦框３３及び戸先側縦框３４の見込面のそれぞれに複数配置され、室外側へのガラス２５の外れを防止する金属製部材である。
【００４１】
本実施形態のガラス外れ止め部材４０は、締結部材としてのネジによって框体３０の内側の芯材（上框芯材３１０、下框芯材３２０、縦框芯材３３０及び縦框芯材３４０）に締結固定される。加熱発泡材９１は、帯状の部材であり、ガラス２５の４周を囲うように上框３１、下框３２、吊元側縦框３３及び戸先側縦框３４のそれぞれに配置される。
【００４２】
また、框体３０の内側のコーナー（内隅）には框側コーナー金具６５がそれぞれ配置される。框側コーナー金具６５は、締結部材としてのネジによって框体３０の内側の芯材（上框芯材３１０、下框芯材３２０、縦框芯材３３０及び縦框芯材３４０）に締結固定される。より具体的には、框体３０の戸先側上部では、上框芯材３１０と縦框芯材３４０が框側コーナー金具６５によって連結され、吊元側上部では、上框芯材３１０と縦框芯材３３０が框側コーナー金具６５によって連結される。框体３０の戸先側下部では、下框芯材３２０と縦框芯材３４０が框側コーナー金具６５によって連結され、吊元側下部では、下框芯材３２０と縦框芯材３３０が框側コーナー金具６５によって連結される。
【００４３】
また、枠体１０に開閉可能に吊り込まれる障子２０は、上枠１１と上框３１を接続するアーム部材６１によって所定以上開かないように開閉範囲が規制される。
【００４４】
次に、障子側戸先下側コーナー遮蔽金具７５（遮蔽部材）及び障子側吊元下側コーナー遮蔽金具７６（遮蔽部材）について説明する。図４は、本実施形態の建具１が備える障子側戸先下側コーナー遮蔽金具７５及び障子側吊元下側コーナー遮蔽金具７６の配置位置を説明する斜視図である。
【００４５】
図４に示すように、障子２０は、障子２０の外縁を構成する樹脂製の框体３０を有する。障子２０の下方側の障子側下側コーナー部２０１には、戸先側の障子側戸先下側コーナー部２０１ａにおいて、障子側戸先下側コーナー遮蔽金具７５（遮蔽部材）が取り付けられ、吊元側の障子側吊元下側コーナー部２０１ｂにおいて、障子側吊元下側コーナー遮蔽金具７６（遮蔽部材）が取り付けられる。本実施形態においては、框体３０の内部の芯材（上框芯材３１０、下框芯材３２０、縦框芯材３３０及び縦框芯材３４０など）は、障子側下側コーナー部２０１以外の部分に配置される。また、枠体１０の内部の金属製の芯材（下枠芯材１２０、縦枠芯材１３０及び縦枠芯材１４０）は、障子側下側コーナー部２０１以外の部分に配置される。
【００４６】
障子側下側コーナー部２０１は、框体３０の下方側のコーナー部であり、上下方向に延びる縦框（吊元側縦框３３、戸先側縦框３４）及び左右方向に延びて縦框に接合される下框３２の端部同士を接合する角及びその周辺部である。本実施形態においては、障子側下側コーナー部２０１は、縦框（吊元側縦框３３、戸先側縦框３４）の端面及び下框３２の端面を長手方向に対して傾斜させて形成し、傾斜した縦框（吊元側縦框３３、戸先側縦框３４）の端面及び傾斜した下框３２の端面を突き合わせて接合することで構成される。
【００４７】
障子２０の外周縁は、障子２０が閉鎖位置にある状態において、見込方向に視た場合に、枠体１０の内周縁に重なる部分である。障子２０の外周縁の見込方向の厚さが、障子２０の内側の部分の見込方向の厚さよりも薄く形成されている。そのため、障子側下側コーナー部２０１の厚さも、障子２０の内側の部分よりも厚さよりも薄く形成されている。
【００４８】
障子側戸先下側コーナー遮蔽金具７５について説明する。図５は、本実施形態の建具１が備える障子側戸先下側コーナー遮蔽金具７５を示す斜視図である。図６は、本実施形態の建具１が備える障子側戸先下側コーナー遮蔽金具７５の位置を示す正面図である。図７は、本実施形態の建具１が備える障子側戸先下側コーナー遮蔽金具７５の取り付け状態を示す断面図である。
【００４９】
図５に示すように、障子側戸先下側コーナー遮蔽金具７５は、締結部材としてのネジ７５ａによって、框体３０の戸先側下部に固定される。これにより、障子側戸先下側コーナー遮蔽金具７５は、障子２０に取り付けられる。障子側戸先下側コーナー遮蔽金具７５は、板状に形成され、戸先側遮蔽板７５１と、階段状取付部分７５２と、を有する。
【００５０】
戸先側遮蔽板７５１は、障子２０が閉鎖位置にある状態において、障子側戸先下側コーナー部２０１ａにおける障子２０と枠体１０との間に配置され、障子２０の見付方向の上下方向に延びる。戸先側遮蔽板７５１は、框体３０の室内側（枠体１０側）の見付面に対向して配置され、障子２０の面方向（見付方向）に平行な長方形の板状に形成される。
【００５１】
戸先側遮蔽板７５１の下端部７５１ａは、図５及び図６に示すように、障子２０の見付方向の上下方向の位置が、戸先側縦框３４の下端部３４ｐから、戸先側縦框３４の下端部３４ｐに沿って配置されるクッション材３２ｇの幅の分だけ上方側に離間して、戸先側縦框３４の下端部３４ｐよりも上方側に位置する。
戸先側遮蔽板７５１の左右方向の外側の端部７５１ｂは、図５及び図６に示すように、障子２０の左右方向の位置が、戸先側縦框３４の左右方向の外側の端部３４ｑから、戸先側縦框３４の左右方向の外側の端部３４ｑに沿って配置されるクッション材３４ｇの幅の分だけ内側に離間して、戸先側縦框３４の左右方向の外側の端部３４ｑよりも内側に位置する。
【００５２】
図６及び図７に示すように、戸先側遮蔽板７５１の上方側の部分は、見込方向に視た場合に、戸先側縦框３４の中空部３４ｉに配置される室外側芯材３１２の下端部と重なった位置に配置されている。室外側芯材３１２は、図５〜図７に示すように、戸先側縦框３４の中空部３４ｉに配置され、上下方向に延びる。室外側芯材３１２は、戸先側縦框３４の下端部３４ｐまで延びていない。室外側芯材３１２の下端部３１２ａは、図６に示すように、戸先側縦框３４の下端部３４ｐよりも上方側に位置する。
【００５３】
戸先側遮蔽板７５１の下方側の部分は、見込方向に視た場合に、枠体１０及び障子２０の樹脂部分と重なった位置に配置される。しかし、戸先側遮蔽板７５１の下方側の部分は、金属製の芯材などと重ならない位置に配置される。そのため、障子側戸先下側コーナー部２０１ａが溶融した場合に、戸先側遮蔽板７５１によって、建具１における見込方向に貫通しないように遮蔽することができ、建具１における見込方向の貫通を低減できる。
【００５４】
階段状取付部分７５２は、断面視で階段状に形成され、図５に示すように、見込方向に延びると共に上下方向に延びる固定板７５２ａと、框体３０の見込方向に形成される段差部分に沿って配置されるＬ字状のＬ字連結板７５２ｂと、を有する。
【００５５】
固定板７５２ａは、図７に示すように、嵌合溝３４ｊの内部の見込面に配置され、戸先側縦框３４の内部に配置される金属製のＬ字状芯材３４１（芯材）に固定される。Ｌ字状芯材３４１は、戸先側縦框３４の中空部３４ｂの内部に配置される縦框芯材３４０（図３参照）に締結固定される。
【００５６】
Ｌ字連結板７５２ｂは、固定板７５２ａの室外側の端部に接続される。Ｌ字連結板７５２ｂは、固定板７５２ａの室外側の端部から左右方向の外側に所定長さ延び、所定長さ延びた端部から見込方向の室外側に屈曲して所定長さ延びる。Ｌ字連結板７５２ｂの室外側の端部には、戸先側遮蔽板７５１の左右方向の内側の端部に接続される。
【００５７】
以上のように構成される障子側戸先下側コーナー遮蔽金具７５は、戸先側に配置される障子側戸先下側コーナー部２０１ａに配置される。そのため、火災時に、障子２０の戸先側の障子側戸先下側コーナー部２０１ａの樹脂製の框体３０が溶融しても、障子側戸先下側コーナー部２０１ａにおいて、障子側戸先下側コーナー遮蔽金具７５は、建具１が見込方向に貫通することを低減できる。
【００５８】
障子側吊元下側コーナー遮蔽金具７６について説明する。図８は、本実施形態の建具１が備える吊元側の障子側吊元下側コーナー遮蔽金具７６を示す斜視図である。図９は、本実施形態の建具１が備える障子側吊元下側コーナー遮蔽金具７６が配置される位置関係を示す正面図である。図１０は、本実施形態の建具１が備える障子側吊元下側コーナー遮蔽金具７６の取り付け状態を示す断面図である。
【００５９】
図８に示すように、障子側吊元下側コーナー遮蔽金具７６は、断面視Ｌ字状に形成され、締結部材としてのネジ７６ａによって、框体３０の吊元側下部に固定される。これにより、障子側吊元下側コーナー遮蔽金具７６は、障子２０に取り付けられる。障子側吊元下側コーナー遮蔽金具７６は、吊元側遮蔽板７６１と、板状取付部分７６２と、を有する。
【００６０】
吊元側遮蔽板７６１は、障子２０が閉鎖位置にある状態において、障子側吊元下側コーナー部２０１ｂにおける障子２０と枠体１０との間に配置され、障子２０の見付方向の上下方向に延びる。吊元側遮蔽板７６１は、框体３０の室内側（枠体１０側）の見付面に対向して配置され、障子２０の面方向（見付方向）に平行な長方形の板状に形成される。
【００６１】
吊元側遮蔽板７６１の下端部７６１ａは、図８及び図９に示すように、障子２０の見付方向の上下方向の位置が、吊元側縦框３３の下端部３３ｐから、吊元側縦框３３の下端部３３ｐに沿って配置されるクッション材３２ｇの幅の分だけ上方側に離間して、吊元側縦框３３の下端部３３ｐよりも上方側に位置する。
【００６２】
吊元側遮蔽板７６１の左右方向の外側の端部７６１ｂは、図８及び図９に示すように、障子２０の見付方向の左右方向の位置が、吊元側縦框３３の左右方向の外側の端部３３ｑから、吊元側縦框３３の左右方向の外側の端部３３ｑに沿って配置されるクッション材３３ｇの幅の分だけ内側に離間して、吊元側縦框３３の左右方向の外側の端部３３ｑよりも内側に位置する。
【００６３】
吊元側遮蔽板７６１は、見込方向に視た場合に、枠体１０及び障子２０の樹脂部分と重なった位置に配置されている。しかし、吊元側遮蔽板７６１は、金属製の芯材などと重ならない位置に配置される。そのため、障子側吊元下側コーナー部２０１ｂが溶融した場合に、吊元側遮蔽板７６１によって、建具１における見込方向に貫通しないように遮蔽することができ、建具１における見込方向の貫通を低減できる。
【００６４】
板状取付部分７６２は、図８及び図１０に示すように、吊元側遮蔽板７６１に直交すると共に上下方向に延びる板状に形成される。板状取付部分７６２は、吊元側遮蔽板７６１の左右方向の内側の端部に接続される。板状取付部分７６２は、ネジ７６ａによって、吊元側縦框３３の嵌合溝３３ｊに配置される金属製の台座部３１５（芯材）に締結固定される。
【００６５】
以上のように構成される障子側吊元下側コーナー遮蔽金具７６は、吊元側に配置される障子側吊元下側コーナー部２０１ｂに配置される。そのため、火災時に、吊元側に配置される障子側戸先下側コーナー部２０１ａの樹脂製の框体３０が溶融しても、障子側吊元下側コーナー部２０１ｂにおいて、障子側戸先下側コーナー遮蔽金具７５は、建具１が見込方向に貫通することを低減できる。
【００６６】
以上説明した上記実施形態の構成によれば、以下のような効果を奏する。
建具１は、樹脂製の枠体１０及び枠体１０に開閉可能に取り付けられる障子２０を備え、障子２０は、障子２０の外縁を構成する樹脂製の框体３０を有し、障子２０が閉鎖位置にある状態において、障子２０の障子側下側コーナー部２０１（障子側戸先下側コーナー部２０１ａ、障子側吊元下側コーナー部２０１ｂ）における框体３０と障子２０との間に配置され、障子２０の見付方向に延びる金属製の遮蔽部材（障子側戸先下側コーナー遮蔽金具７５、障子側吊元下側コーナー遮蔽金具７６）を備える。
【００６７】
これにより、火災時に、障子側下側コーナー部２０１（障子側戸先下側コーナー部２０１ａ、障子側吊元下側コーナー部２０１ｂ）の樹脂製の框体３０が溶融しても、障子側下側コーナー部２０１（障子側戸先下側コーナー部２０１ａ、障子側吊元下側コーナー部２０１ｂ）において、金属製の遮蔽部材（障子側戸先下側コーナー遮蔽金具７５、障子側吊元下側コーナー遮蔽金具７６）は、貫通した部分を、見付方向に延びて遮蔽する。従って、障子２０の障子側下側コーナー部２０１において、框体３０が溶融しても、建具１が見込方向に貫通することを低減できる。よって、障子２０の障子側下側コーナー部２０１における防火性能を向上できる。
【００６８】
また、本実施形態では、框体３０の内部の芯材（上框芯材３１０、下框芯材３２０、縦框芯材３３０及び縦框芯材３４０など）は、障子側下側コーナー部２０１以外の部分に配置される。また、枠体１０の内部の金属製の芯材（下枠芯材１２０、縦枠芯材１３０及び縦枠芯材１４０など）は、障子側下側コーナー部２０１以外の部分に配置される。従来、芯材が配置されていない障子側下側コーナー部２０１（障子側戸先下側コーナー部２０１ａ、障子側吊元下側コーナー部２０１ｂ）において、樹脂製の障子２０の框体３０や樹脂製の枠体１０が溶融して、建具を見込方向に貫通する可能性があった。これに対して、本発明においては、障子２０の障子側下側コーナー部２０１における金属製の芯材が配置されていない樹脂の部分が溶融した場合であっても、金属製の遮蔽部材（障子側戸先下側コーナー遮蔽金具７５、障子側吊元下側コーナー遮蔽金具７６）がコーナー部に配置される。そのため、建具１が見込方向に貫通することを低減できる。よって、障子２０の障子側下側コーナー部２０１における防火性能を向上できる。
【００６９】
また、本実施形態では、遮蔽部材（障子側戸先下側コーナー遮蔽金具７５、障子側吊元下側コーナー遮蔽金具７６）は、障子２０に取り付けられており、框体３０に配置される台座部３１５又はＬ字状芯材３４１に固定される。これにより、框体３０が溶融しても、建具１から、遮蔽部材（障子側戸先下側コーナー遮蔽金具７５、障子側吊元下側コーナー遮蔽金具７６）が、脱落することを抑制できる。よって、障子２０の障子側下側コーナー部２０１において、框体３０が溶融しても、建具１が見込方向に貫通することを低減できる。よって、障子２０の障子側下側コーナー部２０１における防火性能を向上できる。
【００７０】
上記実施形態の変形例について説明する。なお、以下の説明において上記実施形態と共通又は同様の構成については同じ符号を付してその説明を省略する場合がある。
【００７１】
上記実施形態に対して、変形例は、障子２０が閉鎖位置にある状態において、障子２０の障子側下側コーナー部２０１（障子側戸先下側コーナー部２０１ａ、吊元側の障子側吊元下側コーナー部２０１ｂ）における框体３０の見込面に対向する位置において、枠体１０側に、枠側戸先下側コーナー遮蔽金具７７（遮蔽部材）及び枠側吊元下側コーナー遮蔽金具７８（遮蔽部材）を配置する構成である。
【００７２】
図１１は、変形例の建具１を室外側から見た様子を示す図である。図１１に示すように、枠体１０の左下及び右下の内隅の枠側コーナー部１０１には、枠側戸先下側コーナー遮蔽金具７７（遮蔽部材）及び枠側吊元下側コーナー遮蔽金具７８（遮蔽部材）が配置される。枠側コーナー部１０１は、上下方向に延びる縦枠（吊元側縦枠１３、戸先側縦枠１４）及び左右方向に延びて縦枠（吊元側縦枠１３、戸先側縦枠１４）に接合される横枠（上枠１１及び下枠１２）の端部同士を接合する角及びその周辺部である。
【００７３】
枠側戸先下側コーナー遮蔽金具７７及び枠側吊元下側コーナー遮蔽金具７８は、上下方向に延びる縦枠（吊元側縦枠１３及び戸先側縦枠１４）及び左右方向に延びて縦枠に接合される下枠１２の接続部分の接合状態を補強する機能と、建具１の樹脂部分が溶融した場合に建具１の貫通を遮蔽する機能と、を有する金具である。
【００７４】
図１２は、変形例の建具１が備える戸先側の枠側戸先下側コーナー遮蔽金具７７を示す斜視図である。図１３は、変形例の建具１が備える吊元側の枠側吊元下側コーナー遮蔽金具７８を示す斜視図である。
【００７５】
図１２に示すように、枠側戸先下側コーナー遮蔽金具７７は、戸先側において、枠体１０の下方側の内側の戸先側下方側内側コーナー部１０１ｅ（内隅）に配置される。
図１３に示すように、枠側吊元下側コーナー遮蔽金具７８は、吊元側において、枠体１０の下方側の内側の吊元側下方側内側コーナー部１０１ｆ（内隅）に配置される。
【００７６】
枠側戸先下側コーナー遮蔽金具７７（遮蔽部材）と枠側吊元下側コーナー遮蔽金具７８（遮蔽部材）とは、左右対称で同一形状である。また、枠側戸先下側コーナー遮蔽金具７７及び枠側吊元下側コーナー遮蔽金具７８を構成する水平方向に延在する部材及び垂直方向に延在する部材は、枠体１０の枠側コーナー部１０１の角を境に対称で同一形状である。
【００７７】
枠側戸先下側コーナー遮蔽金具７７及び枠側吊元下側コーナー遮蔽金具７８は、図１２及び図１３に示すように、板状に形成され、それぞれ、Ｌ字状コーナー金具部分７００ａと、横遮蔽板７００ｄと、縦遮蔽板７００ｅと、を有する。
【００７８】
Ｌ字状コーナー金具部分７００ａは、Ｌ字状の金属製部材であり、下方側の内隅の枠側コーナー部１０１に沿って配置される。Ｌ字状コーナー金具部分７００ａは、下枠１２の上面に沿って延びる横板材７００ｂと、横板材７００ｂの左右方向の外側の端部から上方側に屈曲して縦枠（吊元側縦枠１３及び戸先側縦枠１４）の側面に沿って延びる縦板材７００ｃと、を有する。
【００７９】
図１４は、変形例の建具１が備える枠側戸先下側コーナー遮蔽金具７７及び吊元側の枠側吊元下側コーナー遮蔽金具７８の取り付け状態を示す断面図である。図１５は、変形例の建具１が備える枠側戸先下側コーナー遮蔽金具７７及び吊元側の枠側吊元下側コーナー遮蔽金具７８が配置される位置関係を示す正面図である。
【００８０】
図１４に示すように、Ｌ字状コーナー金具部分７００ａは、締結部材としてのネジ７７ａ，７８ａによって、枠体１０の内側の金属製の芯材（下枠芯材１２０、縦枠芯材１３０及び縦枠芯材１４０）に締結固定される。これにより、枠側戸先下側コーナー遮蔽金具７７及び吊元側の枠側吊元下側コーナー遮蔽金具７８は、枠体１０に取り付けられる。
【００８１】
より具体的には、枠体１０の戸先側下部では、下枠芯材１２０と縦枠芯材１４０が枠側戸先下側コーナー遮蔽金具７７のＬ字状コーナー金具部分７００ａによって連結され、吊元側下部では、下枠芯材１２０と縦枠芯材１３０が枠側吊元下側コーナー遮蔽金具７８のＬ字状コーナー金具部分７００ａによって連結される。
【００８２】
横遮蔽板７００ｄは、障子２０が閉鎖位置にある状態において、障子２０の面方向（見付方向）に平行な横方向に長い長方形の板状により形成され、図１２及び図１３に示すように、Ｌ字状コーナー金具部分７００ａの横板材７００ｂの室内側の端部から、上方側に所定幅で延出すると共に、障子２０の見付方向の左右方向に延びる。横遮蔽板７００ｄは、障子２０が閉鎖位置にある状態において、障子２０の障子側戸先下側コーナー部２０１ａ及び障子側吊元下側コーナー部２０１ｂにおける框体３０の室内側（枠体１０側）の障子２０と枠体１０との間に配置され、框体３０における枠体１０側の見付面に対向する。
【００８３】
図１５に示すように、枠側戸先下側コーナー遮蔽金具７７において、横遮蔽板７００ｄの下端部７０１ｄは、框体３０における枠体１０側の見付面に対向した位置において、障子２０の見付方向の上下方向の位置が、戸先側縦框３４の下端部３４ｐから、戸先側縦框３４の下端部３４ｐに沿って配置されるクッション材３２ｇ（図５参照）の幅の分だけ上方側に離間して、戸先側縦框３４の下端部３４ｐよりも上方側に位置する。
【００８４】
また、枠側吊元下側コーナー遮蔽金具７８においても、枠側戸先下側コーナー遮蔽金具７７と同様に、横遮蔽板７００ｄの下端部７０１ｄは、框体３０における枠体１０側の見付面に対向した位置において、障子２０の見付方向の上下方向の位置が、吊元側縦框３３の下端部３３ｐから、吊元側縦框３３の下端部３３ｐに沿って配置されるクッション材３２ｇ（図８参照）の幅の分だけ上方側に離間して、吊元側縦框３３の下端部３３ｐよりも上方側に位置する。
【００８５】
縦遮蔽板７００ｅは、障子２０が閉鎖位置にある状態において、障子２０の面方向（見付方向）に平行な縦方向に長い長方形の板状により形成され、図１２及び図１３に示すように、Ｌ字状コーナー金具部分７００ａの縦板材７００ｃの室内側の端部から、見込方向の内側に所定幅で延出すると共に、障子２０の見付方向の上下方向に延びる。横遮蔽板７００ｄは、障子２０が閉鎖位置にある状態において、障子２０の障子側戸先下側コーナー部２０１ａ及び障子側吊元下側コーナー部２０１ｂにおける框体３０の室内側（枠体１０側）の障子２０と枠体１０との間に配置され、框体３０における枠体１０側の見付面に対向する。
【００８６】
図１５に示すように、枠側戸先下側コーナー遮蔽金具７７において、縦遮蔽板７００ｅの左右方向の外側の端部７０１ｅは、框体３０における枠体１０側の見付面に対向した位置において、障子２０の見付方向の左右方向の位置が、戸先側縦框３４の左右方向の外側の端部３４ｑから、戸先側縦框３４の左右方向の外側の端部３４ｑに沿って配置されるクッション材３４ｇ（図５参照）の幅の分だけ内側に離間して、戸先側縦框３４の左右方向の外側の端部３４ｑよりも内側に位置する。
【００８７】
また、枠側吊元下側コーナー遮蔽金具７８においても、枠側戸先下側コーナー遮蔽金具７７と同様に、縦遮蔽板７００ｅの左右方向の吊元側の外側の端部７０１ｅは、框体３０における枠体１０側の見付面に対向した位置において、障子２０の見付方向の左右方向の位置が、吊元側縦框３３の左右方向の外側の端部３３ｑから、吊元側縦框３３の左右方向の外側の端部３３ｑに沿って配置されるクッション材３３ｇ（図８参照）の幅の分だけ内側に離間して、吊元側縦框３３の左右方向の外側の端部３３ｑよりも内側に位置する。
【００８８】
枠側戸先下側コーナー遮蔽金具７７が建具１の見込方向の貫通を遮蔽する機能について説明する。枠側戸先下側コーナー遮蔽金具７７の縦遮蔽板７００ｅの上方側の左右方向の内側の一部は、図１５に示すように、見込方向に視た場合に、戸先側縦框３４の中空部３４ｉに配置される室外側芯材３１２の左右方向の外側の一部及び下端部の一部と重なった位置に配置されている。しかし、枠側戸先下側コーナー遮蔽金具７７の縦遮蔽板７００ｅの上方側の左右方向の外側の部分及び下方側の部分は、金属製の芯材などと重ならない位置に配置される。そのため、障子側戸先下側コーナー部２０１ａが溶融した場合に、縦遮蔽板７００ｅによって、建具１における見込方向に貫通しないように遮蔽することができ、建具１における見込方向の貫通を低減できる。
【００８９】
枠側戸先下側コーナー遮蔽金具７７の横遮蔽板７００ｄは、見込方向に視た場合に、枠体１０及び障子２０の樹脂部分と重なった位置に配置される。しかし、枠側戸先下側コーナー遮蔽金具７７の横遮蔽板７００ｄは、金属製の芯材などと重ならない位置に配置される。そのため、障子側吊元下側コーナー部２０１ｂが溶融した場合に、横遮蔽板７００ｄによって、建具１における見込方向の貫通しないように遮蔽することができ、建具１における見込方向の貫通を低減できる。
【００９０】
また、枠側吊元下側コーナー遮蔽金具７８が建具１の見込方向の貫通を遮蔽する機能について説明する。枠側吊元下側コーナー遮蔽金具７８の横遮蔽板７００ｄ及び縦遮蔽板７００ｅは、図１５に示すように、見込方向に視た場合に、枠体１０及び障子２０の樹脂部分と重なった位置に配置される。しかし、枠側吊元下側コーナー遮蔽金具７８の横遮蔽板７００ｄ及び縦遮蔽板７００ｅは、金属製の芯材などと重ならない位置に配置される。そのため、障子側戸先下側コーナー部２０１ａ又は障子側吊元下側コーナー部２０１ｂが溶融した場合に、横遮蔽板７００ｄ及び縦遮蔽板７００ｅによって、建具１における見込方向の貫通しないように遮蔽することができ、建具１における見込方向の貫通を低減できる。
【００９１】
この変形例の構成によっても、上記実施形態の障子側戸先下側コーナー遮蔽金具７５（遮蔽部材）及び障子側吊元下側コーナー遮蔽金具７６（遮蔽部材）と同様の効果を奏する。つまり、横遮蔽板７００ｄ及び縦遮蔽板７００ｅによって、建具１における見込方向の貫通しないように遮蔽することができ、建具１における見込方向の貫通を低減できる。
【００９２】
また、変形例では、既存のＬ字状のＬ字状コーナー金具部分に、横遮蔽板７００ｄ及び縦遮蔽板７００ｅを設けるだけで、枠側戸先下側コーナー遮蔽金具７７及び枠側吊元下側コーナー遮蔽金具７８を構成することができる。そのため、枠側戸先下側コーナー遮蔽金具７７及び枠側吊元下側コーナー遮蔽金具７８を簡易に構成することができる。
【００９３】
また、変形例では、遮蔽部材（枠側戸先下側コーナー遮蔽金具７７、枠側吊元下側コーナー遮蔽金具７８）は、枠体１０に取り付けられており、枠体１０に配置される下枠芯材１２０又は縦枠芯材１３０，１４０に固定される。これにより、框体３０が溶融しても、建具１から、遮蔽部材（枠側戸先下側コーナー遮蔽金具７７、枠側吊元下側コーナー遮蔽金具７８）が、脱落することを抑制できる。よって、障子２０の障子側下側コーナー部２０１において、框体３０が溶融しても、建具１が見込方向に貫通することを低減できる。
【００９４】
以上、本発明の好ましい実施形態について説明したが、本発明は、上述の実施形態や変形例に制限されるものではなく、適宜変更が可能である。
例えば、上記実施形態の枠体１０及び框体３０は、何れも樹脂製であるが、枠体１０及び框体３０の見込方向室外側及び室内側の少なくとも何れか一方に、アルミ等の金属製のカバー部材を追加的に配置する構成としてもよい。即ち、樹脂製の枠及び樹脂製の框は、その内部、室内側又は室外側に金属部材を取り付けたものであってもよい。
【００９５】
上記実施形態では、勝手口ドアを本発明の建具の一例として説明したがこの構成に限定されるわけではなく、スイング式の開閉ドアや開閉窓等、障子を開閉する構成を備える種々の建具に本発明を適用することができる。
【００９６】
上記実施形態及び変形例においては、障子２０の下方側のコーナー部に遮蔽部材（障子側戸先下側コーナー遮蔽金具７５及び障子側吊元下側コーナー遮蔽金具７６、枠側戸先下側コーナー遮蔽金具７７及び枠側吊元下側コーナー遮蔽金具７８）を設けたが、これに限定されない。障子の上方側のコーナー部に遮蔽部材を設けてもよい。
【符号の説明】
【００９７】
１  建具
１０  枠体
２０  障子
３０  框体
７５  障子側戸先下側コーナー遮蔽金具（遮蔽部材）
７６  障子側吊元下側コーナー遮蔽金具（遮蔽部材）
７７  枠側戸先下側コーナー遮蔽金具（遮蔽部材）
７８  枠側吊元下側コーナー遮蔽金具（遮蔽部材）
１２０  下枠芯材（芯材）
１３０，１４０  縦枠芯材（芯材）
２０１  障子側下側コーナー部（コーナー部）
２０１ａ  障子側戸先下側コーナー部（コーナー部）
２０１ｂ  障子側吊元下側コーナー部（コーナー部）
３１５  台座部（芯材）
３４１  Ｌ字状芯材（芯材）
【図１】
2019085829.tif 000003
【図２】
2019085829.tif 000004
【図３】
2019085829.tif 000005
【図４】
2019085829.tif 000006
【図５】
2019085829.tif 000007
【図６】
2019085829.tif 000008
【図７】
2019085829.tif 000009
【図８】
2019085829.tif 000010
【図９】
2019085829.tif 000011
【図１０】
2019085829.tif 000012
【図１１】
2019085829.tif 000013
【図１２】
2019085829.tif 000014
【図１３】
2019085829.tif 000015
【図１４】
2019085829.tif 000016
【図１５】
2019085829.tif 000017